(57)【要約】【課題】外装部材の前面側から装着部材を装着する場合に、装着部材側の係合部との当接によって外装部材側の係合部の表面に生じた疵が外部に露呈しないようにし、製品価値の低下を防止する。【解決手段】凹部１２内にデコレーションパネル２０を装着する際に、係止片５１２が係止突起５１３にパネルケース１０の表面側から裏面側に向かって圧接し、係止片５１２が弾性変形を生じてパネルケース１０の裏面側に向かって係止突起５１３を通過する。デコレーションパネル２０が表面をパネルケース１０の表面と面一にして凹部１２に装着される。凹部１２とデコレーションパネル２０との間隙であって、パネルケース１０の表面と係止突起５１３の表面及び段部２１の表面との間に、フレーム３０が嵌入する。係止突起５１３の表面は、フレーム３０で被覆されてパネルケース１０の表面側に露出しない。【選択図】図６
2010049023.tif 000002
【特許請求の範囲】
【請求項１】
表面に開放した凹所であって前記表面の法線方向に所定の深さを有する凹所が形成された外装部材と、
前記表面に沿う方向について前記凹所の周囲の少なくとも一部との間に間隙を設けて前記凹所に前記表面側から装着される装着部材と、
前記間隙に前記表面側から嵌入する枠部と、を備え、
前記外装部材から前記凹所に突出した係止突起であって前記表面側の面が前記間隙における前記表面から所定距離だけ裏面側に位置する係止突起と、前記装着部材から突出した係止片であって前記凹所に対する前記装着部材の挿入時に前記係止突起に当接した後に弾性変形して前記係止突起の裏面側に接触するように形成された係止片と、を備えた装着部材の取付構造。
【請求項２】
前記枠部は、前記外装部材及び前記装着部材と別体に構成され、
前記外装部材及び前記枠体のそれぞれに、互いに前記表面に直交する方向に係合する枠部用係合対を設けた請求項１に記載の装着部材の取付構造。
【請求項３】
前記枠体は、前記装着部材に一体的に形成された請求項１に記載の装着部材の取付構造。
【請求項４】
前記間隙が前記凹所と前記装着部材との間に全周にわたって形成され、前記枠部が環状を呈する請求項１乃至３の何れかに記載の装着部材の取付構造。
【請求項５】
前記外装部材及び前記装着部材のそれぞれに、互いに前記法線方向に係合する複数の装着部材用係合対を備え、前記係止突起及び前記係止片が前記複数の装着部材用係合対の少なくとも１つを構成する請求項１乃至４の何れかに記載の装着部材の取付構造。
【発明の詳細な説明】
【技術分野】
【０００１】
本発明は、外装パネル等の外装部材に形成されている開口部等の凹所に、保護パネル等の装着部材を外装部材の表面側から挿入して装着するための、装着部材の取付構造に関する。
【背景技術】
【０００２】
ディスプレイを備えた装置では、外装パネルの一部に開口部を形成し、開口部を経由して外部から視認できるようにディスプレイを配置している。開口部には、ディスプレイの表面を保護する保護パネルが装着される（例えば、特許文献１参照。）。
【０００３】
外装パネルの開口部に保護パネルを装着するための取付構造として、開口部の周縁部及び保護パネルの周囲のそれぞれに、互いに係合する係合部からなる係合対を複数設けたものがある。
【０００４】
例えば、外装パネル側の係合部として開口部の周縁部に内側に向かって突出する突起部を設け、保護パネル側の係合部として突起部に表面側から当接した後に弾性変形して突起部の裏面側に接触する係止片を保護パネルに設ける。
【０００５】
複数の係合対のそれぞれを保護パネル側の係合部が外装パネル側の係合部に対して表面側から裏面側に向かって係合するように構成することで、保護パネルを外装パネルの表面側から開口部に装着することができる。装着部材を外装部材の裏面側から装着する場合に比べて、作業性を向上できる。
【０００６】
このような取付構造は、外装パネルの開口部に保護パネルを装着する場合だけでなく、本体の外側面に形成された凹部に銘板等を装着する場合のように、外装部材に形成されている凹所に装着部材を装着する場合に広く用いられている。
【特許文献１】特開平０６−２１５８８９号公報
【発明の開示】
【発明が解決しようとする課題】
【０００７】
しかし、従来の装着部材の取付構造では、外装部材側の係合部を外装部材の表面と面一に形成していため、装着部材側の係合部との当接によって外装部材側の係合部の表面に生じた疵が外部に露呈し、製品価値の低下を招く問題がある。
【０００８】
この発明の目的は、作業性の向上を考慮して外装部材の前面側から装着部材を装着する場合にも、装着部材側の係合部との当接によって外装部材側の係合部の表面に生じた疵が外部に露呈しないようにし、製品価値の低下を防止できる装着部材の取付構造を提供することにある。
【課題を解決するための手段】
【０００９】
この発明の装着部材の取付構造は、外装部材、装着部材、枠部、係止突起、係止片を備えている。外装部材は、表面に開放した凹所であって表面の法線方向に所定の深さを有する凹所が形成されている。凹所は、外装部材の表面から窪んだ凹部、又は外装部材の表面側から裏面側に貫通する開口部である。装着部材は、外装部材の表面に沿う方向について凹所の周囲の少なくとも一部との間に間隙を設けて凹所に表面側から装着される。枠部は、凹所の周囲と装着部材との間隙に表面側から嵌入する。係止突起は、外装部材から凹所に突出し、外装部材の表面側の面が間隙における外装部材の表面から所定距離だけ裏面側に位置している。係止片は、装着部材から突出し、凹所に装着部材を挿入した時に係止突起に当接した後に弾性変形して係止突起の裏面側に接触するように形成されている。
【００１０】
この構成により、外装部材の表面側から凹所に装着部材を挿入した際に、凹所の周囲と装着部材との間の間隙で、装着部材の係止片が外装部材の係止突起の表面側の面に当接した後、弾性変形して係止突起を通過し、係止突起の裏面側に接触する。係止片が係止突起に対して外装部材の表面の法線方向に係合することで、凹所における装着部材の挿入状態が維持される。
【００１１】
外装部材及び装着部材のそれぞれに形成した係合部同士が外装部材の表面の法線方向に互いに係合する複数の装着部材用係合対を備えている場合には、複数の装着部材用係合対の少なくとも１つを係止突起及び係止片によって構成することができる。
【００１２】
係止突起は、間隙における外装部材の表面から所定距離だけ裏面側の位置に突出しており、間隙には枠部が表面側から嵌入して係止突起の上方に位置する。係止突起の表面は枠部によって被覆され、係止片の当接によって係止突起の表面に生じた疵は、外部に露呈することがない。
【００１３】
この構成において、枠部を外装部材及び装着部材と別体に構成した場合には、外装部材及び枠体のそれぞれに、互いに表面に直交する方向に係合する枠部用係合対を設けることが好ましい。枠体用係合対によって間隙における枠部の嵌入状態を維持できる。
【００１４】
また、枠体を装着部材に一体的に形成することで、部品点数を削減でき、凹所への装着部材の装着作業をさら簡略化できる。
【００１５】
さらに、凹所と装着部材との間の間隙を装着部材の全周にわたって形成した場合、枠部を環状に形成することで、外観の煩雑感を排除できるとともに、部品点数の増加を最小限に抑えることができ、凹所への装着部材の装着作業を簡略化できる。
【発明の効果】
【００１６】
この発明によれば、外装部材の前面側から装着部材を装着する際に装着部材側の係合部との当接によって外装部材側の係合部の表面に生じた疵が枠部によって被覆され、外部に露呈しないようにすることができ、作業性の向上を図りつつ製品価値の低下を防止できる。
【発明を実施するための最良の形態】
【００１７】
以下、本発明の最良の実施形態に係る画像形成装置を、図面を参照にしつつ詳細に説明する。
【００１８】
図１は、本発明の第１の実施形態に係る装着部材の取付構造を適用した操作パネル装置の組立図である。図２は、同操作パネル装置の平面図である。操作パネル装置１００は、一例として家庭用ファクシミリ装置の一部を構成し、パネルケース１０、デコレーションパネル２０及びフレーム３０を備えている。
【００１９】
パネルケース１０は、この発明の外装部材であり、一例として硬質樹脂を素材として薄型筐体状に形成されており、開口部１１、凹部１２、カーソルキー孔１３、複数のキー孔１４が形成されている。
【００２０】
開口部１１は、パネルケース１０においてパネルケース１０の内部に収納される液晶パネル１１０の表示面に対向する位置に形成されている。液晶パネル１１０の表示面は、開口部１１からパネルケース１０の表面側に露出する。
【００２１】
凹部１２は、この発明の凹所であり、パネルケース１０の表面において開口部１１、カーソルキー孔１３及び複数のキー孔１４のうちの一部のキー孔１４を含む範囲に形成されている。
【００２２】
カーソルキー孔１３は、パネルケース１０においてパネルケース１０の内部に収納されているカーソルキー１２０に対向する位置に形成されている。カーソルキー１２０は、カーソルキー孔１３からパネルケース１０の表面側に突出する。
【００２３】
複数のキー孔１４は、パネルケース１０においてパネルケース１０の内部に収納されている複数の操作キー１３０のそれぞれに対向する位置に形成されている。操作キー１３０は、キー孔１４からパネルケース１０の表面側に突出する。複数のキー孔１４のうちの一部はパネルケース１０における凹部１２内に形成されており、複数のキー孔１４のうちの残りはパネルケース１０における凹部１２の範囲外に形成されている。
【００２４】
デコレーションパネル２０は、この発明の装着部材であり、一例として透光性樹脂を素材として板状に形成されており、凹部１２にパネルケース１０の表面側から装着される。デコレーションパネル２０には、カーソルキー孔２３及び複数のキー孔２４が形成されている。デコレーションパネル２０の周囲には、略全周にわたって段部２１が一体的に設けられている。
【００２５】
カーソルキー孔２３は、デコレーションパネル２０においてデコレーションパネル２０を凹部１２に装着した際に、カーソルキー孔１３に対向する位置に形成されている。カーソルキー孔１３から露出したカーソルキー１２０は、さらにカーソルキー孔２３を貫通してデコレーションパネル２０の表面側に突出する。
【００２６】
複数のキー孔２４は、デコレーションパネル２０においてデコレーションパネル２０を凹部１２に装着した際に、キー孔１４に対向する位置に形成されている。キー孔１４から露出した操作キーは、さらにキー孔２４を貫通してデコレーションパネル２０の表面側に突出する。
【００２７】
フレーム３０は、この発明の枠部であり、一例として柔軟性を有する樹脂を素材として角丸矩形の枠体状に形成されている。
【００２８】
パネルケース１０の表面側から見た際に、デコレーションパネル２０の外周部の形状は、凹部１２の形状に対して全周にわたって所定幅だけ小さい相似形にされており、段部２１の幅は所定幅よりも僅かに短い。また、フレーム３０の外周部の形状は凹部１２の形状と略等しくされており、フレーム３０の内周部の形状はデコレーションパネル２０の段部２１を除く外周部の形状に略等しくされている。
【００２９】
デコレーションパネル２０の厚さは、凹部１２の深さに略等しくされている。フレーム３０の厚さは、段部２１の高さに略等しくされている。
【００３０】
デコレーションパネル２０をパネルケース１０の表面側から凹部１２に装着すると、段部２１を含む幅の間隙がデコレーションパネル２０の周囲に全周にわたって凹部１２との間に形成される。この間隙にフレーム３０をパネルケース１０の表面側から嵌入させると、凹部１２、フレーム３０及びデコレーションパネル２０のそれぞれの間に隙間のない状態で、デコレーションパネル２０及びフレーム３０の表面がパネルケース１０の表面と面一になる。
【００３１】
パネルケース１０の凹部１２内にデコレーションパネル２０を装着し、凹部１２とデコレーションパネル２０との間隙にフレーム３０を嵌入した状態で、液晶パネル１１０の表示面がデコレーションパネル２０を透過して操作パネル装置１００の表面側から視認される。液晶パネル１１０の表示面は、デコレーションパネル２０によって保護される。
【００３２】
この状態で、カーソルキー１２０がカーソルキー孔１３及びカーソルキー孔２３を貫通して操作パネル装置１００の表面側に露出し、複数の操作キー１３０のうちの一部がキー孔１４及びキー孔２４を貫通するとともに残りがキー孔１４を貫通して操作パネル装置１００の表面側に露出する。カーソルキー１２０及び操作キー１３０は、装置パネル装置１００の表面側から操作できる。
【００３３】
操作パネル装置１００は、パネルケース１０における凹部１２の周縁部に枠部用係合対４１〜４８及び装着部材用係合対５１〜５５を備えている。枠部用係合対４１〜４８は、凹部１２とデコレーションパネル２０との間隙におけるフレーム３０の嵌入状態を維持する。装着部材用係合対５１〜５５は、凹部１２内におけるデコレーションパネル２０の装着状態を維持する。
【００３４】
図３〜５は、上記の操作パネル装置のそれぞれパネルケース、デコレーションパネル及びフレームの平面図である。
【００３５】
パネルケース１０の凹部１２には、周縁部に係合孔４１１、４２１、４３１、４５１、４６１、４７１、４８１、５１１及び５２１、並びに係止突起５１３及び５２３が形成されている。係合孔４１１、４２１、４３１、４５１、４６１、４７１及び４８１は、凹部１２の底面及び側面にわたって形成されている。係合孔５１１及び５２１は、凹部１２の底面に形成されている。係止突起５１３及び５２３は、凹部１２の側面から底面に沿って突出している。
【００３６】
フレーム３の外周部には、突起４１２、４２２、４３２、４４２、４５２、４６２、４７２及び４８２が形成されている。突起４１２、４２２、４５２、４６２、４７２及び４８２は、それぞれ凹部１２内の係合孔４１１、４２１、４５１、４６１、４７１及び４８１に対応している。突起４３２及び４４２は、係合孔４３１に対応している。
【００３７】
デコレーションパネル２０の段部２１には、切欠き４１３、４２３、４３３、４４３、４５３、４６３、４７３及び４８３、突起５３２、５４２及び５５２、並びに係止片５１２及び５２２が形成されている。切欠き４１３、４２３、４３３、４４３、４５３、４６３、４７３及び４８３は、それぞれフレーム３０の突起４１２、４２２、４３２、４４２、４５２、４６２、４７２及び４８２に対応している。突起５３２、５４２及び５５２は、それぞれ凹部１２内の係合孔４１１、４２１及び４３１に対応している。係止片５１２は凹部１２内の係合孔５１１及び係止突起５１３に対応しており、係止片５２２は凹部１２内の係合孔５２１及び係止突起５２３に対応している。
【００３８】
係合孔４１１、４２１、４５１、４６１、４７１及び４８１のそれぞれと突起４１２、４２２、４５２、４６２、４７２及び４８２のそれぞれ、係合孔４３１と突起４３２及び４４２、がこの発明の複数の枠部用係合対４１〜４８を構成している。係合孔４１１、４２１及び４３１のそれぞれと突起５３２、５４２及び５５２とは、この発明の複数の装着部材用係合対の一部である装着部材用係合対５３〜５５を構成している。また、係合孔５１１と係止片５１２と係止突起５１３、並びに係合孔５２１と係止片５２２と係止突起５２３が、それぞれこの発明の複数の装着部材用係合対の別の一部である装着部材用係合対５１及び５２を構成している。
【００３９】
デコレーションパネル２０を凹部１２に装着する際には、デコレーションパネル２０を、パネルケース１０の表面側から凹部１２に接近させた後、パネルケース１０の表面に沿う方向に移動させて突起５５２を係合孔４３１の側面部分に嵌入させる。次いで、デコレーションパネル２０をパネルケース１０の表面に沿う方向に移動させて突起５３２及び５４２を係合孔４１１及び４２１の側面部分に嵌入させる。突起５３２、５４２及び５５２が係合孔４１１、４２１及び４３１に対してパネルケース１０表面の法線方向に係合する。
【００４０】
さらに、係止片５１２及び５２２のそれぞれを、係止突起５１３及び５２３にパネルケース１０の表面側から圧接させる。係止片５１２及び５２２は、弾性変形を生じて係合孔５１１及び５２１を通過しつつ係止突起５１３及び５２３の裏面側に移動する。係止片５１２及び５２２が係止突起５１３及び５２３に対してパネルケース１０表面の法線方向に係合する。
【００４１】
フレーム３０を凹部１２とデコレーションパネル２０との間隙に嵌入させる際には、フレーム３０を撓ませつつ、突起４１２、４２２、４５２、４６２、４７２及び４８２のそれぞれを、係合孔４１１、４２１、４５１、４６１、４７１及び４８１のそれぞれに嵌入させつつ、突起４３２及び４４２を係合孔４３１に嵌入させる。このとき、突起４１２、４２２、４３２、４４２、４５２、４６２、４７２及び４８２のそれぞれは、切欠き４１３、４２３、４３３、４４３、４５３、４６３、４７３及び４８３のそれぞれを通過する。
【００４２】
これによって、パネルケース１０の表面方向及び表面の法線方向について、凹部１２内におけるデコレーションパネル２０及びフレーム３０の移動が規制され、パネルケース１０にデコレーションパネル２０及びフレーム３０が確実に装着される。
【００４３】
また、デコレーションパネル２０及びフレーム３０をパネルケース１０の表面側から凹部１２内に装着することができるため、作業を容易に行うことができる。
【００４４】
図６（Ａ）〜（Ｃ）は、パネルケースの凹部に対するデコレーションパネルの装着時の要部の状態を示す断面図である。図６（Ａ）に示すように、パネルケース１０の凹部１２内にデコレーションパネル２０を装着する際に、係止片５１２が係止突起５１３にパネルケース１０の表面側から裏面側に向かって圧接する。この圧接によって係止片５１２が弾性変形を生じ、図６（Ｂ）に示すようにパネルケース１０の裏面側に向かって係止突起５１３を通過し、デコレーションパネル２０が表面をパネルケース１０の表面と面一にして凹部１２に装着される。
【００４５】
係止突起５１３の表面には、係止片５１２との圧接によって疵を生じる場合がある。係止片５１２はデコレーションパネル２０を凹部１２に装着した状態では係止突起５１３の裏面に当接する位置にあり、係止突起５１３の表面はパネルケース１０の表面側に露出している。このとき、係止突起５１３の表面は、パネルケース１０の表面よりも下方に位置しており、デコレーションパネル２０の段部２１の表面もパネルケース１０の表面よりも下方に位置している。
【００４６】
凹部１２とデコレーションパネル２０との間隙であって、パネルケース１０の表面と係止突起５１３の表面及び段部２１の表面との間に、図６（Ｃ）に示すように、フレーム３０が嵌入する。係止突起５１３の表面は、フレーム３０で被覆され、パネルケース１０の表面側に露出することがない。
【００４７】
このため、係止突起５１３の表面に生じた疵が外部に露出することがなく、製品価値の低下を防止することができる。係止片５２２及び係止突起５２３においても同様の機能によって同様の効果を得ることがきる。
【００４８】
なお、上記の例では、デコレーションパネル２０は透光性材料を素材としたが、遮光性材料を素材としたものであってもよい。
【００４９】
また、上記の例では、複数の装着部材用係合対の一部を係止片と係止突起とで構成したが、複数の装着部材用係合対の全部を係止片と係止突起とで構成することもできる。
【００５０】
図７は、この発明の第２の実施形態に係る装着部材の取付構造の要部を示す断面図である。第２の実施形態に係る装着部材の取付構造では、この発明の装着部材であるデコレーションパネル２２０に、この発明の枠部である縁部２３０を一体的に形成している。
【００５１】
デコレーションパネル２２０が遮光性材料によって形成されている場合には、デコレーションパネル２２０の一部である縁部２３０を係止突起５１３の表面側に位置させることで、係止突起５１３の表面を被覆することができる。係止片５１２との当接によって係止突起５１３の表面に生じた疵が外観に露呈することがなく、製品価値の低下を防止できる。
【００５２】
図８（Ａ）及び（Ｂ）は、この発明の第３及び第４の実施形態に係る装着部材の取付構造を用いた装置の平面図である。
【００５３】
図８（Ａ）に示す第３の実施形態に係る装着部材の取付構造は枠部４００を装着部材３００と別体に構成した例であり、図８（Ｂ）に示す第４の実施形態に係る装着部材の取付構造は枠部４００を装着部材３００と一体に構成した例である。
【００５４】
第３及び第４の実施形態に係る装着部材の取付構造のいずれにおいても、２つの装着部材用係合対３０１，３０２のうち、１つの装着部材用係合対３０１のみをこの発明の係止片５１２及び係止突起５１３で構成している。装着部材用係合対３０２は、装着部材３００に形成された突起３１２と外装部材２００の凹部に形成された孔部３１１とで構成されている。突起３１２は、孔部３１１に表面に沿う方向に係合する。
【００５５】
図８（Ａ）及び（Ｂ）に示すように、少なくとも１対の係止片５１２及び係止突起５１３により、この発明に係る装着部材の取付構造を構成することができる。
【００５６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５７】
【図１】本発明の第１の実施形態に係る装着部材の取付構造を適用した操作パネル装置の組立図である。同操作パネル装置の平面図である。
【図２】同操作パネル装置の平面図である。
【図３】同操作パネル装置のパネルケースの平面図である。デコレーションパネル及びフレームの平面図である。
【図４】同操作パネル装置のデコレーションパネルの平面図である。
【図５】同操作パネル装置のフレームの平面図である。
【図６】（Ａ）〜（Ｃ）は、パネルケースの凹部に対するデコレーションパネルの装着時の要部の状態を示す断面図である。
【図７】この発明の第２の実施形態に係る装着部材の取付構造の要部を示す断面図である。
【図８】（Ａ）及び（Ｂ）は、この発明の第３及び第４の実施形態に係る装着部材の取付構造を用いた装置の平面図である。
【符号の説明】
【００５８】
１０−パネルケース（外装部材）
１２−凹部（凹所）
２０−デコレーションパネル（装着部材）
３０−フレーム（枠部）
４１〜４８−枠部用係合対
５１−５５−装着部材用係合対
１００−操作パネル装置
５１２−係止片
５１３−係止突起
５２２−係止片
５２３−係止突起
【図１】
2010049023.tif 000003
【図２】
2010049023.tif 000004
【図３】
2010049023.tif 000005
【図４】
2010049023.tif 000006
【図５】
2010049023.tif 000007
【図６】
2010049023.tif 000008
【図７】
2010049023.tif 000009
【図８】
2010049023.tif 000010